(57)【要約】【課題】  コネクタの防水性を向上させる防水ジョイントコネクタを提供する。【解決手段】  挿入側コネクタ部１１と受入側コネクタ部１３とからなり、挿入側コネクタ部１１は、複数の接続用端子１９を収容する端子収容室２１が設けられた複数のコネクタハウジング１５を積層して合体され、端子収容室２１と接続用端子１９に接続された電線Ｗとの隙間が防水栓２５により水密に密封されており、受入側コネクタ部１３は、挿入側コネクタ部１３を受け入れるコネクタ受入室４１を有するコネクタケース２９と、そのコネクタ受入室４１内に突出する複数の雄端子４５を有する回路形成体４７とを備えており、両コネクタ部１１、１３間が防水部材５３で水密に密封される防水ジョイントコネクタにおいて、前記防水部材５３が受入側コネクタ部１３のコネクタ受入室４１の底壁４３と挿入側コネクタ部１１のコネクタハウジング１５の前端部との間に配設される。【選択図】        図１
2005203279.tif 000002
【特許請求の範囲】
【請求項１】
挿入側コネクタ部と受入側コネクタ部とからなり、挿入側コネクタ部は、電線が接続された接続用端子を収容する複数の端子収容室が設けられた複数のコネクタハウジングを積層して合体され、端子収容室と接続用端子又は電線との隙間が防水栓により水密に密封されており、受入側コネクタ部は、挿入側コネクタ部を受け入れるコネクタ受入室を有するコネクタケースと、そのコネクタ受入室の底壁に装着され、コネクタ受入室内に突出する複数の雄端子を有する回路形成体とを備えており、挿入側コネクタ部と受入側コネクタ部の嵌合により、両コネクタ部間が防水部材で水密に密封される防水ジョイントコネクタにおいて、前記防水部材が回路形成体の雄端子を挿通させる複数の雄端子挿通穴が形成されたシール板状体で構成され、受入側コネクタ部におけるコネクタ受入室の底壁と挿入側コネクタ部におけるコネクタハウジングの前端部との間に配設されることを特徴とする防水ジョイントコネクタ。
【請求項２】
前記防水部材が回路形成体の雄端子を挿通させる複数の雄端子挿通穴が形成されたシール板状体の片面に上下複数段に並列して突設され、挿入側コネクタ部の少なくともコネクタハウジングの前端部間の隙間に食い込む複数のリップを設けて構成され、挿入側コネクタ部と受入側コネクタ部を嵌合させ、両コネクタ部でその防水部材を押し付けることにより、防水部材のリップがコネクタハウジングの前端部間の隙間に食い込み、両コネクタ部間が水密に密封されることを特徴とする請求項１記載の防水ジョイントコネクタ。
【請求項３】
前記挿入側コネクタ部の複数のコネクタハウジング同士が相対的に移動可能に緩く合体した構造になっており、各コネクタハウジングの両側部に、これを受入側コネクタ部のコネクタ受入室内に案内しながら挿入するための鍔部が突設され、その鍔部に上下方向に突出する係止タブが設けられ、受入側コネクタ部のコネクタ受入室の両内側壁に挿入側コネクタ部の前記鍔部が挿入される案内溝が上下複数段に挿入側コネクタ部のコネクタハウジングの積層間隔に合致する間隔をおいて並設され、その案内溝の入口側に案内溝の溝幅が入口に向けて末広がり状に拡開する溝幅拡開部が形成されていることを特徴とする請求項１又は２記載の防水ジョイントコネクタ。
【請求項４】
前記挿入側コネクタ部のコネクタハウジングにおける端子収容室の端子挿入口の近傍に、上方向又は下方向に隣接する他の端子収容室に収容された接続用端子に接続された電線が挿入される電線挿入溝を有し、その接続用端子の後部に当接する端子抜止片が前記他の端子収容室側に向けて突設されていることを特徴とする請求項１、２又は３記載の防水ジョイントコネクタ。
【発明の詳細な説明】
【技術分野】
【０００１】
本発明は自動車のエンジンルーム等におけるワイヤーハーネスの接続に使用される防水ジョイントコネクタに関するものである。
【背景技術】
【０００２】
ジョイントコネクタとして、挿入側コネクタ部と前記挿入側コネクタ部が挿入される受入側コネクタ部とからなり、挿入側コネクタ部は、電線が接続された接続用端子を収容する複数の端子収容室が設けられた複数のコネクタハウジングを複数段に積層して合体され、受入側コネクタ部は、挿入側コネクタ部を受け入れるコネクタ受入室を有するコネクタケースと、そのコネクタ受入室の底壁に装着され、コネクタ受入室内に突出する複数の雄端子を有する回路形成体とを備えたものがある（特許文献１参照）。
【０００３】
また、ジョイントコネクタに防水機能を持たせるために、挿入側コネクタ部におけるコネクタハウジングの端子収容室と該端子収容室に収容された接続用端子に接続された電線との隙間が、電線に挿着された防水栓により水密に密封され、挿入側コネクタ部と受入側コネクタ部の嵌合により、両コネクタ部間が、挿入側コネクタ部のコネクタハウジングを全周から取り囲むように組み付けられた防水部材で水密に密封されるように構成された防水ジョイントコネクタがある（特許文献２参照）。
【０００４】
【特許文献１】特開２００１−３９２３９号公報（発明の詳細な説明の項の段落００１９乃至段落００２６、図１（Ａ）（Ｂ））
【特許文献２】特開２００１−１１０５１１号公報（発明の詳細な説明の項の段落００１２乃至段落００１３、図１）
【発明の開示】
【発明が解決しようとする課題】
【０００５】
しかしながら、このような構成のジョイントコネクタでは、挿入側コネクタ部が複数のコネクタハウジングを複数段に積層して合体されて構成される場合、コネクタハウジング間の隙間から水がコネクタハウジングの前端部を通って端子収容室内に浸入する恐れがあり、コネクタの防水性及び信頼性が低下する問題がある。
【０００６】
本発明は上記の課題を解決し、コネクタの防水性及び信頼性を向上させることができる防水ジョイントコネクタを提供することを目的とするものである。
【課題を解決するための手段】
【０００７】
上記目的を達成するために、本発明の請求項１に記載された防水ジョイントコネクタは、挿入側コネクタ部と受入側コネクタ部とからなり、挿入側コネクタ部は、電線が接続された接続用端子を収容する複数の端子収容室が設けられた複数のコネクタハウジングを積層して合体され、端子収容室と接続用端子又は電線との隙間が防水栓により水密に密封されており、受入側コネクタ部は、挿入側コネクタ部を受け入れるコネクタ受入室を有するコネクタケースと、そのコネクタ受入室の底壁に装着され、コネクタ受入室内に突出する複数の雄端子を有する回路形成体とを備えており、挿入側コネクタ部と受入側コネクタ部の嵌合により、両コネクタ部間が防水部材で水密に密封される防水ジョイントコネクタにおいて、前記防水部材が回路形成体の雄端子を挿通させる複数の雄端子挿通穴が形成されたシール板状体で構成され、受入側コネクタ部におけるコネクタ受入室の底壁と挿入側コネクタ部におけるコネクタハウジングの前端部との間に配設されることを特徴とするものである。
【０００８】
本発明の請求項２に記載された防水ジョイントコネクタは、請求項１記載の防水ジョイントコネクタにおいて、前記防水部材が回路形成体の雄端子を挿通させる複数の雄端子挿通穴が形成されたシール板状体の片面に上下複数段に並列して突設され、挿入側コネクタ部の少なくともコネクタハウジングの前端部間の隙間に食い込む複数のリップを設けて構成され、挿入側コネクタ部と受入側コネクタ部を嵌合させ、両コネクタ部でその防水部材を押し付けることにより、防水部材のリップがコネクタハウジングの前端部間の隙間に食い込み、両コネクタ部間が水密に密封されることを特徴とするものである。
【０００９】
本発明の請求項３に記載された防水ジョイントコネクタは、請求項１又は２記載の防水ジョイントコネクタにおいて、前記挿入側コネクタ部の複数のコネクタハウジング同士が相対的に移動可能に緩く合体した構造になっており、各コネクタハウジングの両側部に、これを受入側コネクタ部のコネクタ受入室内に案内しながら挿入するための鍔部が突設され、その鍔部に上下方向に突出する係止タブが設けられ、受入側コネクタ部のコネクタ受入室の両内側壁に挿入側コネクタ部の前記鍔部が挿入される案内溝が上下複数段に挿入側コネクタ部のコネクタハウジングの積層間隔に合致する間隔をおいて並設され、その案内溝の入口側に案内溝の溝幅が入口に向けて末広がり状に拡開する溝幅拡開部が形成されていることを特徴とするものである。
【００１０】
本発明の請求項４に記載された防水ジョイントコネクタは、請求項１、２又は３記載の防水ジョイントコネクタにおいて、前記挿入側コネクタ部のコネクタハウジングにおける端子収容室の端子挿入口の近傍に、上方向又は下方向に隣接する他の端子収容室に収容された接続用端子に接続された電線が挿入される電線挿入溝を有し、その接続用端子の後部に当接する端子抜止片が前記他の端子収容室側に向けて突設されていることを特徴とするものである。
【発明の効果】
【００１１】
本発明の請求項１に記載された防水ジョイントコネクタによると、受入側コネクタ部におけるコネクタ受入室の底壁と挿入側コネクタ部におけるコネクタハウジングの前端部との間に防水部材が配置されて両コネクタ部間が水密に密封されるので、コネクタハウジング間の隙間から水がコネクタハウジングの前端部を通って端子収容室内に浸入しにくくなり、両コネクタ部間及び挿入側コネクタ部のコネクタハウジング間の水密性が良好になって、コネクタの防水性及び信頼性を向上させることができる。
【００１２】
本発明の請求項２に記載された防水ジョイントコネクタによると、挿入側コネクタ部と受入側コネクタ部を嵌合させ、両コネクタ部で防水部材を押し付けることにより、防水部材のリップがコネクタハウジングの前端部間の隙間に食い込み、その隙間を埋めるので、コネクタハウジング間の水密性が更に良好になり、コネクタの防水性及び信頼性を更に向上させることができる。
【００１３】
本発明の請求項３に記載された防水ジョイントコネクタによると、挿入側コネクタ部を受入側コネクタ部に挿入して挿入側コネクタ部と受入側コネクタ部の嵌合により、受入側コネクタ部におけるコネクタ受入室の案内溝の溝幅拡開部と挿入側コネクタ部におけるコネクタハウジングの鍔部に設けられた係止タブとが係合するので、コネクタハウジングの鍔部と案内溝との隙間がなくなり、コネクタハウジングのがたつきを防止することができる。また、コネクタハウジングが緩く合体することにより上下方向に広がったコネクタハウジングの後部同士が狭まるのに対して、コネクタハウジングの前部が自由端になって前部同士がコネクタハウジングの遊隙間（デッドスペース）分又はコネクタ受入室の案内溝とコネクタハウジングの鍔部との遊び分だけ上下方向に広がり、コネクタハウジングの前端部間の隙間が大きくなる。よって、前記防水部材のリップがコネクタハウジングの前端部間の隙間に確実に食い込み、コネクタハウジング間の水密性が更に良好になるほか、防水ジョイントコネクタの組立作業性が向上し、コネクタを能率よく製造することができる。
【００１４】
本発明の請求項４に記載された防水ジョイントコネクタによると、端子抜止片により、接続用端子が挿入側コネクタ部の端子収容室から抜けるのを防止することができる。また、接続用端子がランスで抜け止めされる場合、ランスと端子抜止片とにより２重に係止されることになり、接続用端子が端子収容室から抜けるのをより確実に防止することができる。
【発明を実施するための最良の形態】
【００１５】
次に、本発明の実施形態を図面により詳細に説明する。図１は本発明の防水ジョイントコネクタを自動車用ワイヤーハーネスの多極コネクタに適用したものを拡大して示す概要図、図２は挿入側コネクタ部の正面図、図３は図２の右側面図、図４は図２の背面図、図５は挿入側コネクタ部を構成するコネクタハウジングを示す正面図、図６は図５の右側面図、図７は図５の平面図、図８は図５の背面図、図９はコネクタハウジングの端子収容室に電接続用端子を挿入する状態を示す図で、（ａ）は接続用端子を挿入する前のもの、（ｂ）は接続用端子を挿入中のもの、（ｃ）は接続用端子を挿入した後のもの、図１０は受入側コネクタ部におけるコネクタ受入室の底壁と挿入側コネクタ部におけるコネクタハウジングの前端部との間に防水部材を配設して、挿入側コネクタ部と受入側コネクタ部を嵌合させ、両コネクタ部間を水密に密封する状態を拡大して示す概要図である。
【００１６】
本発明の防水ジョイントコネクタは、図１に示すように、挿入側コネクタ部（雌コネクタ）１１と前記挿入側コネクタ部１１が挿入される受入側コネクタ部（雄コネクタ）１３とからなる。挿入側コネクタ部１１は、図２乃至４に示すように、複数（図示例は５個）のプラスチック製のコネクタハウジング１５と、複数のコネクタハウジング１５を上下方向に複数段（図示例は５段）に積層して、これらコネクタハウジング１５同士が相対的に移動可能に緩く合体した構造になるプラスチック製のコネクタハウジングロック手段１７とを備える。
【００１７】
各コネクタハウジング１５は、図５乃至８に示すように、矩形板状に形成され、複数（図示例は５個）の接続用端子１９（図９参照）を収容する複数（図示例は５個）の端子収容室２１が横方向に単層に並列して設けられる。各端子収容室２１は、図５、６及び図９に示すように、前部から略中央部にわたり角筒状に形成され、その２重上壁２１ａの外方壁２１ｂの後方内側に、接続用端子１９の係止受部１９ａに係合する係止爪２３ａが下方に形成されたプラスチック製の弾性係止片からなるランス２３が後部において片持ち状に設けられる。また、略中央部から後部にわたり円筒状で周方向に開口、スリット等が生じないように形成される。
【００１８】
そして、ワイヤーハーネスを構成する電線Ｗの端末が圧着等により接続され、電線Ｗの口元（接続用端子１９の後部に跨る場合を含む）にゴム製の防水栓２５の挿着された接続用端子１９（図９（ａ）参照）がコネクタハウジング１５の端子収容室２１に挿入されて収容される。これにより、接続用端子１９の係止受部１９ａにランス２３の係止爪２３ａが係合して、接続用端子１９が抜け止めされると共に、端子収容室２１の後部と該端子収容室２１に収容された接続用端子１９に接続された電線Ｗとの隙間が防水栓２５により水密に密封される（図９（ｂ）、（ｃ）参照）。防水栓２５は外周面に、例えば、３条の環状突部２５ａが長手方向に間隔をおいて並列して設けられ、端子収容室２１の後部の内周面との接触面圧を大きくしてシール性が高められるようになっている。なお、防水栓２５は電線Ｗ側ではなく、接続用端子１９の後部に挿着され、端子収容室２１の後部と該端子収容室２１に収容された接続用端子１９との隙間が防水栓２５により水密に密封されるようにしてもよい。
【００１９】
また、図５乃至９に示すように、各コネクタハウジング１５の後部における端子収容室２１の端子挿入口の近傍に、図示例では下方向に隣接する他（下段）の端子収容室２１に収容された接続用端子１９に接続された電線Ｗが挿入されるＵ型の５個の電線挿入溝２７ａを横方向（幅方向）に端子収容室２１のピッチ間隔をおいて有し、その接続用端子１９、即ち、下段の接続用端子１９の後部に当接する端子抜止片２７が前記他（下段）の端子収容室２１側に向けて突設されている。なお、端子抜止片２７は上方向に隣接する他（上段）の端子収容室２１に収容された接続用端子１９、即ち、上段の接続用端子１９の後部に当接するように前記他（上段）の端子収容室２１側に向けて突設されるようにしてもよい。
【００２０】
このように、端子抜止片２７が突設されていると、その端子抜止片２７により、接続用端子１９が挿入側コネクタ部１１の端子収容室２１から抜けるのを防止することができる。また、接続用端子１９がランス２３でも抜け止めされるので、ランス２３と端子抜止片２７とにより２重に係止されることになり、接続用端子１９が端子収容室２１から抜けるのをより確実に防止することができる。
【００２１】
更に、各コネクタハウジング１５の両側部の前部から略中央にわたり、図５乃至８に示すように、コネクタハウジング１５を受入側コネクタ部１３のコネクタ受入室４１（図１、９参照）内に案内しながら挿入するための鍔部３１が突設され、その鍔部３１の上下面に上下方向に突出する係止タブ３３が設けられる。３４は各コネクタハウジング１５の端子収容室２１の前壁２１ｃに設けられ、挿入側コネクタ部１１と受入側コネクタ部１３の嵌合により、受入側コネクタ部１３の雄端子４５を挿入側コネクタ部１１の各コネクタハウジング１５の端子収容室２１に挿入して、端子収容室２１に収容された接続用端子１９と接続させるための端子挿入穴である（図２、５、９参照）。
【００２２】
コネクタハウジングロック手段１７は、図２、３、５、６に示すように、各コネクタハウジング１５の両側部の前部及び略中央部における上部に設けられた係合凹部３５と、これに対応する下部に設けられた係合凸部３７とからなり、コネクタハウジング１５を積層させたとき、所定のコネクタハウジング１５におけるコネクタハウジングロック手段１７の係合凹部３５に、隣接する上段のコネクタハウジング１５におけるコネクタハウジングロック手段１７の係合凸部３７が、また、所定のコネクタハウジング１５におけるコネクタハウジングロック手段１７の係合凸部３７に隣接する下段のコネクタハウジング１５におけるコネクタハウジングロック手段１７の係合凹部３５がそれぞれ係合する。係合凹部３５はコネクタハウジング１５の両側部に横方向に開口するコ字状の凹溝を設けて形成され、係合凸部３７はコネクタハウジング１５の両側部より下方に突出させた直線状係止片の先端に内向き爪を設けて形成される。そして、コネクタハウジングロック手段１７の係合凹部３５とこれに係合する他のコネクタハウジングロック手段１７の係合凸部３７の係止面間には遊間隙（図示省略）が形成されて緩く係合し、複数のコネクタハウジング１５同士が相対的に移動可能に緩く合体した構造（例えば蛇腹構造）になるように構成される。
【００２３】
なお、前記挿入側コネクタ部１１の最上段に積層されたコネクタハウジング１５の上には、両側部の前記コネクタハウジングロック手段１７の係合凹部３５に対応する部位にコネクタハウジングロック手段１７の係合凸部３７が設けられ、また、後部の前記コネクタハウジング１５の端子抜止片２７に対応する部位には端子抜止片２７が下方に突設され、コネクタハウジング１５の縦横寸法と略同一寸法を有する矩形板状のカバー３９が装着される（図２乃至４参照）。
【００２４】
挿入側コネクタ部１１を組み立てる場合には、電線Ｗが接続され、これに防水栓２５が挿着された接続用端子１９（図９（ａ）参照）を、５個のコネクタハウジング１５の各端子収容室２１に予め挿入して収容して端子収容室２１の後部と該端子収容室２１に収容された接続用端子１９に接続された電線Ｗとの隙間を防水栓２５により水密に密封すると共に、接続用端子１９の係止受部１９ａにランス２３の係止爪２３ａを係合する（図９（ｂ）（ｃ）参照）。
【００２５】
次に、図２乃至４に示すように、５個のコネクタハウジング１５同士を下段側から順次積層し、最上段のコネクタハウジング１５の上にカバー３９を被せ、コネクタハウジングロック手段１７でコネクタハウジング１５とカバー３９を相互に緩く合体する。
【００２６】
そして、各コネクタハウジング１５及びカバー３９の端子抜止片２７を隣接する下段のコネクタハウジング１５の端子収容室２１に収容された接続用端子１９の後部に当接すると共に、端子抜止片２７の電線挿入溝２７ａに下段側の前記接続用端子１９に接続された電線Ｗを挿入して係合させ、端子抜止片２７で接続用端子１９を２重に係止することにより行う。
【００２７】
受入側コネクタ部１３は、図１、１０に示すように、一方側に挿入側コネクタ部１１を受け入れるコネクタ受入室４１を有し、プラスチック成形加工により形成された４角箱型のコネクタケース２９と、そのコネクタ受入室４１の底壁４３に装着され、該底壁４３に穿設された複数（図示例は２５個）の矩形状の雄端子挿通穴５１を通して、コネクタ受入室４１内に突出する複数（図示例は２５個）の雄端子４５及びこれを支持するホルダ４９を有する回路形成体４７とを備えており、挿入側コネクタ部１１を受入側コネクタ部１３に挿入して、挿入側コネクタ部１１と受入側コネクタ部１３の嵌合により、両コネクタ部１１、１３間が防水部材５３で水密に密封される構成になっている。
【００２８】
更に詳細に説明すると、コネクタケース２９のコネクタ受入室４１の両内側壁に、挿入側コネクタ部１１の前記鍔部３１が案内されながら挿入される略コ字形状の案内溝５５がコネクタケース２９の長手方向、即ち、挿入側コネクタ部１１の挿入方向に沿って、且つ、上下複数段（図示例は５段）に挿入側コネクタ部１１のコネクタハウジング１５の積層間隔に合致する間隔をおいて並設され、各案内溝５５の入口側にその溝幅が入口（挿入側コネクタ部１１が挿入される側）に向けて末広がり状に拡開する溝幅拡開部５７が形成されている。そして、挿入側コネクタ部１１を受入側コネクタ部１３に挿入して挿入側コネクタ部１１と受入側コネクタ部１３の嵌合により、受入側コネクタ部１３におけるコネクタ受入室４１の案内溝５５の溝幅拡開部５７と挿入側コネクタ部１１におけるコネクタハウジング１５の鍔部３１に設けられた係止タブ３３とが係合して、コネクタハウジング１５の鍔部３１と案内溝５５との隙間がなくなり、コネクタハウジング１５のがたつきを防止することができる。
【００２９】
コネクタケース２９のコネクタ受入室４１内に突出する２５個の雄端子４５は、図１０、１１に示すように、銅、銅合金材料等の良導電材料（導体）で製作されたフラットバーからなり、同一寸法に形成されている。これら雄端子４５は、円形、三角形、正方形等の棒状体で形成してもよい。また、ホルダ４９はプラスチック等の絶縁板の一面（裏面）に銅箔等の導電体からなる回路パターンが印刷等により設けられた回路基板からなる。そして、２５個の雄端子４５は、幅方向（横方向）に５列と縦方向（上下方向）に５段に、挿入側コネクタ部１１の端子挿入穴３４に対応するように所定間隔をおいて配列され、各基端側がホルダ４９の他面（表面）に、ホルダ４９を貫通して支持固定されると共に、その回路パターンにはんだ付けされて接続されている。なお、回路形成体４７を構成する雄端子４５及びホルダ４９は銅、銅合金材料等の良導電材料（導体）からなるブスバーで構成するようにしてもよい。
【００３０】
回路形成体４７は、図１、１０に示すように、コネクタケース２９の他方側、即ち、コネクタ受入室４１の反対側に底壁４３を隔てて設けられた回路形成体収容室５９に収容され、コネクタケース２９の底壁４３に装着されると共に、回路形成体４７の雄端子４５が前記したように底壁４３に穿設された雄端子挿通穴５１を通してコネクタ受入室４１内に突出され、挿入側コネクタ部１１の接続用端子１９に挿入されて接続されるようになっている。６１は、図１に示すように、コネクタケース２９の回路形成体収容室５９の開口部を覆うように、コネクタケース２９の外側面に取り付けられて、回路形成体収容室５９に収容される回路形成体４７を保持すると共に保護するケースカバーである。
【００３１】
防水部材５３は、図１２に示すように、回路形成体４７の雄端子４５を挿通させる複数（図示例は５個）の矩形状の雄端子挿通穴６５が上下５段に並列して形成された４角形状のシール板状体６３の片面に、上下複数段（図示例は６段）に挿入側コネクタ部１１のコネクタハウジング１５の積層間隔に合致する間隔をおいて、少なくとも雄端子挿通穴６５間のシール板状体６３に配置されるように並列して突設され、挿入側コネクタ部１１のコネクタハウジング１５の前端部間及び最上段のコネクタハウジング１５とカバー３９の前端部間の隙間に食い込むと共に、最下段のコネクタハウジング１５の前端部の下面を押し上げてシールする複数（図示例は６個）の断面３角形状（くさび状又は刺状）のリップ６７を設けて構成され、弾性、耐水性を有するゴム材料を成形加工して形成される。なお、上記雄端子挿通穴６５は回路形成体４７の横１列に配置された５個の雄端子４５を一括して挿通させることができる大きさに穿設されているが、１個の雄端子４５、又は５個以外の複数の雄端子４５を挿通させることができる大きさに穿設されるようにしてもよい。
【００３２】
上記構成の防水部材５３は、図１１に示すように、予め受入側コネクタ部１３におけるコネクタ受入室４１の底壁４３に回路形成体４７の雄端子４５が雄端子挿通穴５１を挿通するようにして配置することにより、図１、１０に示すように、受入側コネクタ部１３におけるコネクタ受入室４１の底壁４３と挿入側コネクタ部１１におけるコネクタハウジング１５の前端部との間に配設されると共に、雄端子挿通穴６５に前記回路形成体４７の雄端子４５が挿通され、挿入側コネクタ部１１と受入側コネクタ部１３を嵌合させ、両コネクタ部１１、１３で防水部材５３を押し付けることにより、そのリップ６７が少なくともコネクタハウジング１５の前端部間の隙間に食い込み、両コネクタ部１１、１３間が水密に密封される。
【００３３】
上記のように、受入側コネクタ部１３におけるコネクタ受入室４１の底壁４３と挿入側コネクタ部１１におけるコネクタハウジング１５の前端部との間に防水部材５３が配置されて両コネクタ部１１、１３間が水密に密封されるので、コネクタハウジング１５間の隙間から水がコネクタハウジング１５の前端部を通って端子収容室２１内に浸入しにくくなり、両コネクタ部１１、１３間及び挿入側コネクタ部１１のコネクタハウジング１５間の水密性が良好になって、コネクタの防水性及び信頼性を向上させることができる。
【００３４】
また、本実施形態のように、防水部材５３がリップ６７を有していると、挿入側コネクタ部１１と受入側コネクタ部１３を嵌合させ、両コネクタ部１１、１３で防水部材５３を押し付けることにより、防水部材５３のリップ６７がコネクタハウジング１５の前端部間の隙間に食い込み、その隙間を埋めるので、コネクタハウジング１５間の水密性が更に良好になり、コネクタの防水性及び信頼性を更に向上させることができる。
【００３５】
更に、本実施形態のように、受入側コネクタ部１３のコネクタ受入室４１に並設された案内溝５５の入口側に溝幅拡開部５７が形成され、挿入側コネクタ部１１のコネクタハウジング１５の鍔部３１に係止タブ３３が設けられていると、図１０に示すように、挿入側コネクタ部１１を受入側コネクタ部１３に挿入して挿入側コネクタ部１１と受入側コネクタ部１３の嵌合により、受入側コネクタ部１３におけるコネクタ受入室４１の案内溝５５の溝幅拡開部５７と挿入側コネクタ部１１におけるコネクタハウジング１５の鍔部３１の係止タブ３３とが係合して、挿入側コネクタ部１１におけるコネクタハウジング１５の鍔部と案内溝との隙間がなくなり、コネクタハウジング１５が緩く合体することにより上下方向に広がった挿入側コネクタ部１１におけるコネクタハウジング１５の後部同士が図１９の矢印Ａのように狭まるのに対して、コネクタハウジング１５の前部が自由端になって、前部同士がコネクタハウジング１５の遊隙間（デッドスペース）分、又は、コネクタ受入室４１の案内溝５５とコネクタハウジング１５の鍔部３１との遊び分だけ図１０の矢印Ｂのように上下方向に広がり、コネクタハウジング１５の前端部間の隙間が大きくなる。よって、前記防水部材５３のリップ６７がコネクタハウジング１５の前端部間の隙間に確実に食い込み、コネクタハウジング１５間の水密性が更に良好になるほか、防水ジョイントコネクタの組立作業性が向上し、コネクタを能率よく製造することができる。
【００３６】
６９は、図１に示すように、受入側コネクタ部１３におけるコネクタケース２９の回路形成体収容室５９内に水が浸入するのを防止するために、コネクタケース２９とケースカバー６２の嵌合空隙に設けられたゴム製のガスケット部材である。ガスケット部材６９は、図１３に示すように、矩形環状に形成され、その外周面に２条の環状突部６９ａと内周面に３条の環状突部６９ａが間隔をおいて並列して設けられている。
【００３７】
本発明の防水ジョイントコネクタを組み立てる場合には、図１４（ａ）に示すように、挿入側コネクタ部１１と受入側コネクタ部１３とを対向させ、両コネクタ部１１、１３の軸線が平行になるように整列させて位置決めし、図１４（ｂ）、（ｃ）に示すように、挿入側コネクタ部１１を、受入側コネクタ部１３の案内溝５５で鍔部３１を案内しながら、受入側コネクタ部１３のコネクタ受入室４１に挿入し、コネクタ受入室４１内に突出する雄端子４５を、挿入側コネクタ部１１におけるコネクタハウジング１５の端子収容室２１に収容された接続用端子１９内に挿入し、図１に示すように挿入側コネクタ部１１と受入側コネクタ部１３とを嵌合接続する。
【図面の簡単な説明】
【００３８】
【図１】本発明の防水ジョイントコネクタを自動車用ワイヤーハーネスの多極コネクタに適用したものを拡大して示す概要図である。
【図２】挿入側コネクタ部の正面図である。
【図３】図２の右側面図である。
【図４】図２の背面図である。
【図５】挿入側コネクタ部を構成するコネクタハウジングを示す正面図である。
【図６】図５の右側面図である。
【図７】図５の平面図である。
【図８】図５の背面図である。
【図９】挿入側コネクタ部のコネクタハウジングの端子収容室に電接続用端子を挿入する状態を示す図で、（ａ）は接続用端子を挿入する前のもの、（ｂ）は接続用端子を挿入中のもの、（ｃ）は接続用端子を挿入した後のものである。
【図１０】受入側コネクタ部におけるコネクタ受入室の底壁と挿入側コネクタ部におけるコネクタハウジングの前端部との間に防水部材を配設して、挿入側コネクタ部と受入側コネクタ部を嵌合させ、両コネクタ部間を水密に密封する状態を拡大して示す概要図である。
【図１１】受入側コネクタ部のコネクタ受入室の底壁に防水部材を配置した状態を示す正面図である。
【図１２】図１１の防水部材を示すもので、（ａ）は正面図、（ｂ）は（ａ）のＸＸ線側断面図、（ｃ）は下側面図である。
【図１３】受入側コネクタ部のコネクタケースの回路形成体収容室内に水が浸入するのを防止するガスケット部材を示すもので、（ａ）は正面図、（ｂ）は（ａ）のＹＹ線側断面図、（ｃ）は下側面図である。
【図１４】本発明の防水ジョイントコネクタを組み立てる手順を示す概要図で、（ａ）は挿入側コネクタ部と受入側コネクタ部を対向させて位置決めした状態を示すもの、（ｂ）は（ａ）の状態から挿入側コネクタ部を受入側コネクタ部のコネクタ受入室に挿入開始した状態を示すもの、（ｃ）は（ｂ）の状態から挿入側コネクタ部を受入側コネクタ部に嵌合完了近くまで挿入した状態を示すものである。
【符号の説明】
【００３９】
１１    挿入側コネクタ部
１３    受入側コネクタ部
１５    コネクタハウジング
１７    コネクタハウジングロック手段
１９    接続用端子
１９ａ  係止受部
２１    端子収容室
２１ａ  ２重上壁
２１ｂ  外方壁
２１ｃ  前壁
２３    ランス
２３ａ  係止爪
２５    防水栓
２５ａ  環状突部
２７    端子抜止片
２７ａ  電線挿入溝
２９    コネクタケース
３１    鍔部
３３    係止タブ
３４    端子挿入穴
３５    係合凹部
３７    係合凸部
３９    カバー
４１    コネクタ受入室
４３    底壁
４５    雄端子
４７    回路形成体
４９    ホルダ
５１    雄端子挿通穴
５３    防水部材
５５    案内溝
５７    溝幅拡開部
５９    回路形成体収容室
６１    ケースカバー
６３    シール板状体
６５    雄端子挿通穴
６７    リップ
６９    ガスケット部材
６９ａ  環状突部
Ｗ      電線
【図１】
2005203279.tif 000003
【図２】
2005203279.tif 000004
【図３】
2005203279.tif 000005
【図４】
2005203279.tif 000006
【図５】
2005203279.tif 000007
【図６】
2005203279.tif 000008
【図７】
2005203279.tif 000009
【図８】
2005203279.tif 000010
【図９】
2005203279.tif 000011
【図１０】
2005203279.tif 000012
【図１１】
2005203279.tif 000013
【図１２】
2005203279.tif 000014
【図１３】
2005203279.tif 000015
【図１４】
2005203279.tif 000016